(57)【要約】  【課題】  消火時の油だき温水ボイラに接続された前記室内機の運転モードに応じて、ヒータへの通電制御を切換可能とし、効果的に無駄な電力消費を防止すること。  【解決手段】  ヒータで加熱される気化器１９と、同気化器１９で気化された燃料を燃焼させるバーナ１と、前記ヒータへの通電を制御する制御部とを備え、同制御部に、消火時の室内機１１の運転モードに基づき、前記ヒータへの通電を、温水の温度変化に基づいて燃焼開始温度になるまでの燃焼開始時間を予測し、前記気化器の温度変化に基づいて前記ヒータへの通電開始時間を予測し、通電をオンさせる予測通電制御と、前記気化器の温度を一定温度範囲とするように通電を断続的にオンオフさせるオンオフ通電制御のどちらか一方に切換える切換手段１２b を構成した。【選択図】  図２
2005351553.tif 000002
【特許請求の範囲】
【請求項１】
ヒータで加熱される気化器と、同気化器で気化された燃料を燃焼させるバーナと、前記ヒータへの通電を制御する制御部とを備えた油だき温水ボイラの制御装置において、前記制御部に、消火時の室内機の運転モードに基づき、前記ヒータへの通電を、温水の温度変化に基づいて燃焼開始温度になるまでの燃焼開始時間を予測し、前記気化器の温度変化に基づいて前記ヒータへの通電開始時間を予測し、通電をオンさせる予測通電制御と、前記気化器の温度を一定温度範囲とするように通電を断続的にオンオフさせるオンオフ通電制御のどちらか一方に切換える切換手段を備えたことを特徴とする油だき温水ボイラの制御装置。
【請求項２】
前記切換手段は、所定風量運転以上の運転モードと判定された場合に前記オンオフ通電制御に切換え、所定風量運転未満の運転モードと判定された場合に前記予測通電制御に切換えることを特徴とする請求項１記載の油だき温水ボイラの制御装置。
【請求項３】
前記運転モードの判定条件は、前記室内機の設定条件に応じて設定変更可能としたことを特徴とする請求項２記載の油だき温水ボイラの制御装置。
【請求項４】
気化器を加熱するヒータへの通電を制御する油だき温水ボイラの制御方法において、バーナ消火時の室内機の運転モードを判定し、この判定結果に基づき、バーナ消火後の前記ヒータへの通電を、温水の温度変化に基づいて燃焼開始温度になるまでの燃焼開始時間を予測し、前記気化器の温度変化に基づいて前記ヒータへの通電開始時間を予測し、通電をオンさせる予測通電制御と、前記気化器の温度を一定温度範囲とするように通電を断続的にオンオフさせるオンオフ通電制御のどちらか一方に切換えることを特徴とする油だき温水ボイラの制御方法。
【発明の詳細な説明】
【技術分野】
【０００１】
本発明は、油だき温水ボイラの制御装置に係わり、消火時の前記油だき温水ボイラに接続される室内機の運転モード判定に応じて、ヒータへの通電を制御するものに関する。
【背景技術】
【０００２】
従来、油だき温水ボイラの制御装置は、前記ヒータで加熱される気化器を設け、同気化器で気化された灯油をバーナで点火することで燃焼させ、熱交換器内で温水を作り出す油だき温水ボイラにおいて、温水が一定の温度範囲となるように、前記バーナの点火と消火を繰り返し行っており、前記バーナの点火に備えて、前記気化器の温度を灯油を気化できる一定の温度範囲に保持するように、前記ヒータへの通電を断続的にオンオフ制御するオンオフ通電制御を行っているのが一般的である。
【０００３】
前記ヒータへの通電は、消火後の燃焼待機時の温水温度の変化、すなわち、燃焼待機時の長さに関わらず、独立して制御されており、燃焼待機時が長くなると通電時間も長くなり、それだけ電力消費が多くなるため、前記ヒータへの通電時間は、必要十分な時間を与えることができれば、無駄な電力消費を防止することが可能となる。
【０００４】
この無駄な電力消費の防止を実現した燃焼装置として、温水が設定温度を超えると、前記ヒータを非通電とし、燃焼動作を停止させ、温水が所定温度以下であると、前記ヒータへの通電を開始し、再燃焼するようにしたことにより、燃焼停止中に前記ヒータの制御を行わないようにした通電制御を行っているものがある（例えば、特許文献１参照）。
【０００５】
しかしながら、特許文献１では燃焼停止中全体にわたり、前記ヒータの通電による無駄な電力消費を防止することができるが、温水温度が再燃焼条件である所定温度以下になった時点に前記ヒータを再通電するため、前記気化器が灯油を気化する温度に加熱されるまでの時間は、再燃焼条件であるにも関わらず、直ちに再燃焼を開始することができないという問題点があった。
【０００６】
ところが、この特許文献１の問題点を解決した燃焼装置として、設定室温に対して室温が所定温度差以上高くなると、前記ヒータへの通電を非通電とし、燃焼動作を停止させ、その後、室温が低下して再燃焼する前に、前記ヒータへの通電をどれくらい前の時間から開始すればよいかを予測することにより、再燃焼条件の時点で、前記気化器が灯油を気化する温度に加熱され、直ちに再燃焼可能にした予測通電制御を行っているものがある（例えば、特許文献２参照）。
【０００７】
しかしながら、特許文献１及び特許文献２に示すような燃焼装置においては、前記ヒータへの通電を制御し、この通電による無駄な消費電力を防止することができる構成であるが、前記油だき温水ボイラに接続されるファンコンベクタ、床暖房用パネル、パネルヒータ等の室内機の運転モードが例えば、ファンの回転数による５段階の運転能力制御のうち、強の段階の風量固定運転がなされている場合には放熱量が高いので、燃焼待機時の温水温度は短時間で低下することになるため、中、弱等の段階の風量固定運転のような放熱量が低い場合と比べて、前記ヒータへの通電時間が短くなる。
【０００８】
そうすると、特許文献２に示すように、再燃焼する前に、前記ヒータへの通電を開始する前記予測通電制御による通電制御を行っても、前記ヒータへの通電時間は、前記オンオフ通電制御による通電制御を行った場合と同等となる。
【０００９】
この時、特許文献２の前記予測通電制御による通電制御では、前記ヒータへの通電を開始する時間を予測するための検出回路や制御回路へ電力供給しておかなければならず、比較的簡単な制御回路からなる前記オンオフ通電制御による通電制御と比べて、かえって無駄な電力消費の防止とならないことがあり、また、室温が低下するにしたがって何回か繰り返し予測すると、予測誤差を生じることがあるという問題点があった。
【００１０】
【特許文献１】実開昭６０−０７６７５７号公報
【特許文献２】特開平０４−０６４８１５号公報
【発明の開示】
【発明が解決しようとする課題】
【００１１】
本発明は上記問題点に鑑み、消火時の前記油だき温水ボイラに接続された前記室内機の運転モードに応じて、前記ヒータへの通電を、温水温度の降下度に対応した通電制御に切換を可能とすることにより、効果的に無駄な電力消費を防止することを目的とする。
【課題を解決するための手段】
【００１２】
本発明は上記課題を解決するため、ヒータで加熱される気化器と、同気化器で気化された燃料を燃焼させるバーナと、前記ヒータへの通電を制御する制御部とを備えた油だき温水ボイラの制御装置において、前記制御部に、消火時の室内機の運転モードに基づき、前記ヒータへの通電を、温水の温度変化に基づいて燃焼開始温度になるまでの燃焼開始時間を予測し、前記気化器の温度変化に基づいて前記ヒータへの通電開始時間を予測し、通電をオンさせる予測通電制御と、前記気化器の温度を一定温度範囲とするように通電を断続的にオンオフさせるオンオフ通電制御のどちらか一方に切換える切換手段を備えた構成となっている。
【発明の効果】
【００１３】
本発明によれば、前記切換手段を備えた構成としたので、消火時の前記油だき温水ボイラに接続された前記室内機の運転モードに応じて、前記ヒータへの通電を、温水温度の降下度に対応した通電制御に切換を可能とすることにより、効果的に無駄な電力消費を防止することができる。
【発明を実施するための最良の形態】
【００１４】
以下、本発明の実施の形態を、添付図面に基づいた実施例として詳細に説明する。図１は本発明による制御対象の油だき温水ボイラの概略説明図、図２は本発明による油だき温水ボイラの制御装置の要部ブロック図、図３は本発明による油だき温水ボイラの制御装置のタイムチャートを示す図、図４は本発明による油だき温水ボイラの制御装置の予測通電制御の概要を示す図、図５は本発明による油だき温水ボイラの制御装置の要部フローチャートを示す図、図６は本発明による油だき温水ボイラの制御装置の燃焼開始時間ｔ１と点火開始時間ｔ２を予測するために用意した制御テーブル例を示す図である。
【実施例１】
【００１５】
本発明による制御装置が組み込まれる前記油だき温水ボイラは、図１で示すように、下部にバーナ１を備え、上部に排気口２を備えた燃焼筒３と、同燃焼筒３内の上部に設置された熱交換器４とからなるボイラ部５と、同ボイラ部５により熱交換された温水を一時保管するシスターンタンク６と、ポンプ７と、これらを順次配管接続し、戻り温水路８と往き温水路９を有して本体内に配設された温水循環路とを設け、前記バーナ１の下部に、燃焼用の空気を供給する送風ファン１０を設けている。
【００１６】
前記油だき温水ボイラの前記戻り温水路８と前記往き温水路９の間には、ファンコンベクタや床暖房用パネル等の室内機１１が接続されている。
【００１７】
前記バーナ１が燃焼時には、同バーナ１に対し、前記送風ファン１０により空気が供給され、高温になった空気が前記燃焼筒３内を上昇して前記熱交換器４を加熱するようになっている。
【００１８】
このような前記油だき温水ボイラでは、図示を省略したヒータで加熱される気化器で給油された灯油を気化し、気化ガスとなった灯油を前記バーナ１に供給して点火され、前記送風ファン１０からの空気と前記バーナ１による気化ガスの点火によって、前記燃焼筒３内で燃焼させることで、燃焼空気により前記熱交換器４を加熱することとなり、温水を作り出している。
【００１９】
次に、前記油だき温水ボイラの制御装置について図２乃至図４を用いて説明する。まず、図３のタイムチャートに示すように、前記油だき温水ボイラは、温水が高温とならないように、燃焼開始温度Ｔ１ｂから消火温度Ｔ１ａまでの間を点火（燃焼）と消火（燃焼待機）を繰返すことにより、温水を一定範囲の温度に保持するとともに、燃焼待機時にはいつでも燃焼を開始できるように、前記ヒータへの通電制御を点火開始温度Ｔ２ｂから通電ＯＦＦ温度Ｔ２ａまでの間を通電動作をオンオフさせて、前記気化器の温度Ｔ２を一定範囲の温度に保持している（オンオフ通電制御）。
【００２０】
このような前記ヒータへの通電制御を常にオンオフ通電制御とすると、前記室内機１１の運転モードにより放熱量が少ない等によって温水の温度が下がりにくい場合、燃焼待機中の期間が長くなり、前記ヒータへの通電制御において、通電動作のオンオフ回数が燃焼待機中の期間繰返されて多くなり、また、前記室内機１１の運転モードにより放熱量が多い等によって温水の温度がはやく下がる場合、燃焼待機中の期間が短くなり、通電動作のオンオフ回数が１回程度と少なくなるため、燃焼待機に入る消火時の前記室内機１１の運転モードを判定して、前記ヒータへの通電制御を、前記オンオフ通電制御と後述する予測通電制御との間で切換えるように制御する。
【００２１】
次に、前記ヒータへの通電制御を詳細に説明すると、図２に示すように、マイコン１２により制御され、前記マイコン１２には、温水温度検出部１４、気化器温度検出部１５、温度設定部１６、時間予測部１７、タイマー１８、前記気化器１９及び室内機１１をそれぞれ接続している。
【００２２】
前記マイコン１２は、前記気化器１９を加熱する前記ヒータへの通電を制御する通電手段１２ａ（制御部）を備え、前記通電手段１２ａでは、前記オンオフ通電制御と前記予測通電制御の一部（後述の予測手段１３を除く）を実行している。また、前記マイコン１２は、前記ヒータへの通電を、前記オンオフ通電制御と前記予測通電制御との間で切換える切換手段１２ｂを備えている。
【００２３】
前記マイコンの前記通電手段１２ａは、運転モードにより温水の温度が早く下がる場合の通電時は、前記オンオフ通電制御で気化器温度Ｔ２が一定範囲の温度となるように前記ヒータへ繰返しオンオフする通電動作を行い、運転モードにより温水の温度が下がりにくい場合の通電時は、前記予測通電制御で、後述の予測手段１３により予測した点火開始時間ｔ２が燃焼開始時間ｔ１より等しいか大きくなった時点で前記ヒータへ通電を開始して燃焼開始までに点火開始温度Ｔ２ｂとなるように予熱する通電動作を行うようにしている。この時点の点火開始時間ｔ２が、前記ヒータへの通電開始から点火開始温度Ｔ２ｂに到達するまでの時間、すなわち、通電開始時間を示している。
【００２４】
前記マイコン１２の前記切換手段１２ｂは、前記室内機１１の運転モードを受信し、前記室内機１１の運転モードを判定することにより、前記ヒータへの通電を、前記オンオフ通電制御と前記予測通電制御との間で切換えるようにしている。
【００２５】
前記室内機１１の運転モードは、前記室内機１１のファンの回転数による運転情報を前記マイコン１２で受信することにより、大まかな放熱量を監視している。
【００２６】
例えば、前記室内機１１がファンコンベクタの場合、ファンの回転数による運転情報は、強、中、弱、微、対流の５段階の風量固定運転と、室温に応じて前記５段階を自動で調節する自動運転とを行っているとすると、前記マイコン１２でこの５段階の運転情報を受信し、いずれの段階の運転情報であるかで大まかな放熱量を監視するようにしている。また、前記室内機１１で外気温に応じて前記５段階を自動で調節する自動運転を行っている場合も、同様にして大まかな放熱量を監視するようにしてもよい。
【００２７】
このように、例えば５段階の運転情報のうち、強の段階は放熱量が高いので（放熱量５１６０ｋｃａｌ／ｈ、保有水量８Ｌ／ｍｉｎとすると１分間で１０℃下がる）、短時間で温水温度Ｔ１が下がり、前記予測通電制御とする必要がないため、強の段階を所定風量運転の運転情報に設定し、強の段階であるか否かの判定結果によって前記オンオフ通電制御と前記予測通電制御との間で切換えるようにしている。
【００２８】
前記温水温度検出部１４、気化器温度検出部１５、温度設定部１６、時間予測部１７及びタイマー１８は予測手段１３であって、前記予測通電制御の一部を構成している。そして、前記温水温度検出部１４は、前記温水循環路を循環する温水の温水温度Ｔ１を検出し、前記気化器温度検出部１５は、前記気化器１９の温度Ｔ２を検出するものである。
【００２９】
そして、前記温度設定部１６は、温水温度Ｔ１中の消火温度Ｔ１ａ、燃焼開始温度Ｔ１ｂ、気化器温度Ｔ２中の通電ＯＦＦ温度Ｔ２ａ、点火開始温度Ｔ２ｂを設定するもので、前記マイコン１２内の記憶部にこの設定値を記憶している。
【００３０】
前記時間予測部１７は、前記温水温度検出部１４、前記気化器温度検出部１５、前記温度設定部１６から得られる情報値に基づいて、燃焼開始時間ｔ１と点火開始時間ｔ２とを予測し、点火開始時間ｔ２が燃焼開始時間ｔ１より等しいか大きいかを判断している。そして、前記タイマー１８は、前記燃焼開始時間ｔ１と前記点火開始時間ｔ２とを予測するタイミングを測っており、消火後の燃焼待機時に、時間経過とともに一定間隔毎に予測を行うためのものであるが、燃焼待機時の前半の間隔を狭く、後半の間隔を広くするような間隔で予測を行ってもよい。
【００３１】
前記気化器１９は、同気化器１９を加熱する前記ヒータを含み、前記室内機１１の運転モードの判定結果によって、前記オンオフ通電制御と前記予測通電制御との間で切換えられた通電制御に基づき、前記マイコン１２を介して前記ヒータに通電されることで、前記気化器１９を加熱しその温度を調整している。
【００３２】
次に、通電制御のうち予測通電制御による方法について、図４のタイムチャートにより概略的に説明する。
【００３３】
前記室内機１１の運転モードが５段階の運転情報のうち、弱の段階であったとすると、前記ヒータの通電をＯＦＦに保持するようにし、温水温度Ｔ１が低下する勾配の変化から、温水温度Ｔ１が燃焼開始温度Ｔ１ｂまで下がる燃焼開始時間ｔ１を予測し、気化器温度Ｔ２が通電した場合に点火開始温度Ｔ２ｂに達するまでの点火開始時間ｔ２を予測する。
【００３４】
予測方法は、燃焼開始時間ｔ１は、温水温度Ｔ１と燃焼開始温度Ｔ１ｂとの温度差  Ｔ１と温水温度勾配ｄ／ｄｔ・Ｔ１によって直線近似することにより予測するようにし、点火開始時間ｔ２は、点火開始温度Ｔ２ｂと気化器温度Ｔ２との温度差  Ｔ２と予め設定された時間係数によって、例えば、時間係数を１℃当り１ｓとし、  Ｔ２［ｓ］後に到達するものと予測するようにする。
【００３５】
また、予測を行うタイミングは、温水温度Ｔ１が消火温度Ｔ１ａとなり、消火から一定時間経過した時点に最初の予測１を実施し、燃焼開始時間ｔ１’と点火開始時間ｔ２’を予測する。ここでは、燃焼開始時間ｔ１’が点火開始時間ｔ２’より大きいので、温水温度Ｔ１が燃焼開始温度Ｔ１ｂに低下する以前に、気化器温度Ｔ２が点火開始温度Ｔ２ｂに達することとなり、仮に、この時点で前記ヒータの通電をＯＮにすると、温水温度Ｔ１が燃焼開始温度Ｔ１ｂに低下するまで前記オンオフ通電制御による通電制御になってしまうため、以降、一定時間間隔毎にその時点の予測２、３、・・・を実施し、予測した燃焼開始時間ｔ１と点火開始時間ｔ２とを更新している。
【００３６】
このように、予測２、３、・・・、ｎと実施するに従って、更新した燃焼開始時間ｔ１と点火開始時間ｔ２は、温水温度Ｔ１が低下する勾配の変化が緩やかとなる傾向から、予測した燃焼開始時間ｔ１は段々と小さくなり、逆に、気化器温度Ｔ２が一定の傾斜で低下する傾向から、予測した点火開始時間ｔ２は段々と大きくなる。そして、一定時間経過時点の予測ｎを実施し、燃焼開始時間ｔ１”と点火開始時間ｔ２”を予測すると、ここでは、燃焼開始時間ｔ１”が点火開始時間ｔ２”と等しくなっているので、温水温度Ｔ１が燃焼開始温度Ｔ１ｂに低下する時点で、気化器温度Ｔ２が点火開始温度Ｔ２ｂに達することとなり、この時点で前記ヒータの通電をＯＮにすると、再燃焼開始に備え、必要最小限の通電時間を与える。また、必ずしも燃焼開始時間ｔ１”が点火開始時間ｔ２”と等しくなることはないため、一定時間間隔毎に燃焼開始時間ｔ１と点火開始時間ｔ２とを更新し、点火開始時間ｔ２が燃焼開始時間ｔ１より等しいか大きくなったかを判断して、前記ヒータの通電を開始するようにしている。
【００３７】
以上のように通電を開始し、気化器温度Ｔ２が前記温度設定部１６で設定した通電をオフする通電ＯＦＦ温度Ｔ２ａに到達した時点で通電を終了する。
【００３８】
次に、前記ヒータへの通電制御の燃焼待機中の制御例を、図５のフローチャートに基づき説明する。
【００３９】
まず、温水温度Ｔ１が上昇し消火温度Ｔ１ａとなり消火され（ｓ１）、消火後、前記室内機１１の運転モードが強と判定した場合はオンオフ通電制御側に、強と判定しなかった場合（中、弱、微、対流のうちどれか）は予測通電制御側に移行する（ｓ２）。ここでの運転モードの判定基準は、強の段階と設定されているが、油だき温水ボイラに接続される前記室内機１１の設定条件に応じて設定変更が可能となっている。例えば、室温や外気温に応じて前記５段階を自動調節する自動運転と、前記５段階の風量固定運転の各運転に応じた基準について、前記５段階のいずれかに設定変更するようにしてもよい。また、前記室内機１１を複数の設置した場合は、複数の前記室内機１１の運転状況に応じた基準について、前記５段階のいずれかに設定変更するようにしてもよい。
【００４０】
予測通電制御側に移行すると、前記ヒータの通電がＯＦＦである場合、ｓ６のステップに移行し、通電がＯＮである場合、ｓ４のステップに移行して（ｓ３）、前記ヒータの通電をＯＦＦとする（ｓ４）。前記ヒータの通電をＯＦＦした後に、必要に応じて運転モードが強であるか否かを判定し、予測通電制御側かオンオフ通電制御側かを決定するようにしてもよい（ｓ５）。次に、燃焼開始時間ｔ１の予測を開始し、前記ヒータの通電判定から一定時間経過した時点に、温水温度Ｔ１と燃焼開始温度Ｔ１ｂとの温度差  Ｔ１と、温水温度勾配ｄ／ｄｔ・Ｔ１を求めて、燃焼開始までの燃焼開始時間ｔ１を次式（１）から算出することにより予測する（ｓ６）。
【００４１】
ｔ１＝  Ｔ１／（ｄ／ｄｔ・Ｔ１）・・・（１）
【００４２】
同様にして、点火開始時間ｔ２の予測を開始し、前記ヒータの通電判定から一定時間経過した時点に、点火開始温度Ｔ２ｂと気化器温度Ｔ２との温度差  Ｔ２を求めて、通電した場合に点火開始温度Ｔ２ｂに達するまでの点火開始時間ｔ２を次式（２）から算出することにより予測する（ｓ７）。
【００４３】
ｔ２＝  Ｔ２×ｋ（ｋは時間係数）・・・（２）
【００４４】
前記式（２）の時間係数ｋは、前記気化器１９の種類に対応して実験等で予め算出した１℃上昇当りの通電時間を表す係数であり、例えば、ｋ＝０．８（１℃上昇当り、０．８ｓと考える）としている。
【００４５】
次に、これらの予測された燃焼開始時間ｔ１と点火開始時間ｔ２から、点火開始時間ｔ２が燃焼開始時間ｔ１より等しいか大きいかを判断し（ｓ８）、点火開始時間ｔ２が燃焼開始時間ｔ１より小さい場合は、ｓ６のステップの燃焼開始時間ｔ１の予測とｓ７のステップの点火開始時間ｔ２の予測とを一定時間間隔毎に実施し、予測した燃焼開始時間ｔ１、点火開始時間ｔ２を逐次更新する。また、ｓ８のステップの判断で点火開始時間ｔ２が燃焼開始時間ｔ１より小さい場合は、ｓ２のステップに戻って再度、運転モードが強かそれ以外かを判定して予測を行ってもよい。
【００４６】
そして、ｓ８のステップの判断結果として、点火開始時間ｔ２が燃焼開始時間ｔ１より等しいか大きい場合、次のステップの前記ヒータの通電がＯＦＦであるか否かを判断する（ｓ９）。
【００４７】
予測通電制御側に移行したものは、前記ヒータの通電がＯＦＦとなっているため、前記ヒータの通電がＯＦＦであると判断され（ｓ９）、次のステップで気化器温度Ｔ２が点火開始温度Ｔ２ｂより小さいか否かを判断する（ｓ１０）。そして、気化器温度Ｔ２が点火開始温度Ｔ２ｂより小さくなっているため、前記ヒータの通電をＯＮとする（ｓ１１）。
【００４８】
次のステップで温水温度Ｔ１が燃焼開始温度Ｔ１ｂとなったかを判断し（ｓ１４）、気化器温度Ｔ２が点火開始温度Ｔ２ｂより大きいか否かを判断して（ｓ１５）、点火を開始するかどうか決定される（ｓ１６）。
【００４９】
そして、ｓ１４とｓ１５の判断結果として、温水温度Ｔ１が燃焼開始温度Ｔ１ｂとなって、気化器温度Ｔ２が点火開始温度Ｔ２ｂより大きくなった場合に点火を開始し（ｓ１６）、前記気化器１９の通電ＯＦＦ温度Ｔ２ａまで通電オンとなる。それ以外の場合は、ｓ９のステップに戻る。
【００５０】
一方、消火後、前記室内機１１の運転モードが強と判定して、オンオフ通電制御側に移行すると（ｓ２）、ｓ９のステップで前記ヒータの通電がＯＦＦの場合には、ｓ１０からｓ１５までのステップにより進み、ｓ１０のステップでは気化器温度Ｔ２が点火開始温度Ｔ２ｂより大きくなった場合、前記ヒータの通電をＯＦＦに保持させ、気化器温度Ｔ２が点火開始温度Ｔ２ｂより小さくなった場合、前記ヒータの通電をＯＮにする。ｓ９のステップで前記ヒータの通電がＯＮの場合には、気化器温度Ｔ２が通電ＯＦＦ温度Ｔ２ａとなったかを判断する（ｓ１２）。
【００５１】
気化器温度Ｔ２が通電ＯＦＦ温度Ｔ２ａとなった場合、前記ヒータの通電をＯＦＦし（ｓ１３）、気化器温度Ｔ２が通電ＯＦＦ温度Ｔ２ａ未満の場合、前記ヒータの通電をＯＮに保持させる。そして、ｓ１４からｓ１５のステップは前記の説明と同様に実行される。このように、燃焼状態から消火により燃焼待機になった時点で、前記室内機１１の運転モードに応じた前記ヒータの通電制御を、予測通電制御とオンオフ通電制御との間で切換えることができる。
【００５２】
以上、本発明の油だき温水ボイラの制御装置によれば、前記切換手段を設けた構成としたので、消火時の前記室内機の運転モードに応じて前記ヒータの通電制御を可能とし、燃焼待機時の温水温度の降下度に対応した通電制御の切換によって、効果的に無駄な電力消費を防止することができる。また、運転モード判定条件を設定変更可能とすることにより、前記室内機の設定条件に応じて、燃焼待機時の温水温度の降下度に対応した通電制御に切換えることができる。
【実施例２】
【００５３】
前記実施の形態例では、予測方法としては、燃焼開始時間ｔ１は、温水温度Ｔ１と燃焼開始温度Ｔ１ｂとの温度差  Ｔ１と温水温度勾配ｄ／ｄｔ・Ｔ１によって直線近似することにより予測するようにし、点火開始時間ｔ２は、点火開始温度Ｔ２ｂと気化器温度Ｔ２との温度差  Ｔ２と予め設定した時間係数によって、例えば、時間係数を１℃当り１ｓとし、  Ｔ２［ｓ］後に到達するものと予測するようにしているが、本発明はこれに限らず、予め制御テーブルを用意してもよい。
【００５４】
図６に示す燃焼開始時間ｔ１と点火開始時間ｔ２を予測するために用意した制御テーブル例を説明する。燃焼開始時間ｔ１の予測は、現在の温水温度Ｔ１が、複数の温度領域のどの部分にあるかを検出し、そのときの温水温度変化率  Ｔ１がどこに当てあまるかをみて、燃焼開始時間ｔ１［ｍｉｎ］を予測する。なお、現在の設定条件を消火温度８６℃、燃焼開始温度６８℃とする。
【００５５】
例えば、現在の温水温度Ｔ１が７３℃と検出され、このときの温水温度変化率  Ｔ１が−１となった場合、制御テーブルを参照した結果、燃焼開始時間ｔ１は５［ｍｉｎ］と予測される。
【００５６】
点火開始時間ｔ２の予測は、気化器の仕様で１℃上げるのに通電時間１ｓかかるものとすると、点火開始時間ｔ２＝（２３５−気化器温度Ｔ２）／６０［ｍｉｎ］により、現在の気化器温度Ｔ２を検出して算出することにより予測する。なお、現在の設定条件を点火開始温度２３５℃、通電ＯＦＦ温度３０５℃とする。
【００５７】
このように予測して得られた燃焼開始時間ｔ１と点火開始時間ｔ２を、前記と同様に、点火開始時間ｔ２が燃焼開始時間ｔ１より等しいか大きい場合、前記ヒータへの通電をオンにするようにする。
【図面の簡単な説明】
【００５８】
【図１】本発明による制御対象となる油だき温水ボイラの概略説明図である。
【図２】本発明による油だき温水ボイラの制御装置の要部ブロック図である。
【図３】本発明による油だき温水ボイラの制御装置のタイムチャートを示す図である。
【図４】本発明による油だき温水ボイラの制御装置の予測通電制御の概要を示す図である。
【図５】本発明による油だき温水ボイラの制御装置の要部フローチャートを示す図である。
【図６】本発明による油だき温水ボイラの制御装置の燃焼開始時間ｔ１と点火開始時間ｔ２を予測するために用意した制御テーブル例を示す図である。
【符号の説明】
【００５９】
１  バーナ
２  排気口
３  燃焼筒
４  熱交換器
５  ボイラ部
６  シスターンタンク
７  ポンプ
８  戻り温水路
９  往き温水路
１０  送風ファン
１１  室内機
１２  マイコン
１２ａ  通電手段
１２ｂ  切換手段
１３  予測手段
１４  温水温度検出部
１５  気化器温度検出部
１６  温度設定部
１７  時間予測部
１８  タイマー
１９  気化器
【図１】
2005351553.tif 000003
【図２】
2005351553.tif 000004
【図３】
2005351553.tif 000005
【図４】
2005351553.tif 000006
【図５】
2005351553.tif 000007
【図６】
2005351553.tif 000008